(57)【要約】【課題】  パラレル、シリーズ、バイアンプの接続切り替えに手間が掛からないようにする。【解決手段】  端子台2Aに固定された第１入力端子IN1(+)とIN1(-)、第２入力端子IN2(+)とIN2(-)の下部にプリント配線板3Aを固定し、該プリント配線板3Aに第１、第２ボイスコイルVC1 、VC2 の両端と接続された第１ボイスコイル端子VC1(+)とVC1(-)、第２ボイスコイル端子VC2(+)とVC2(-)、２対のヒューズ用端子HT11とHT12、HT21とHT22を備えたヒューズホルダ3A、各々可動接点ＸとＹ、パラレル、シリーズ、バイアンプの３ポジションに対応する第１乃至第３固定接点X1乃至X3、Y1乃至Y3を含む第１、第２スイッチ回路41、42を備えたロータリスイッチ40が装着されている。IN1(+)がVC1(+)とＹ、IN1(-)がHT11とＸ、HT12がVC1(-)、IN２(+) がY1とHT21、HT22がVC２(+) 、X2がVC2(+)、IN２(-) がVC2(-)とX1と接続してある。【選択図】        図４
2009010854.tif 000002
【特許請求の範囲】
【請求項１】
第１接続ラインと第２接続ラインを介して第１ボイスコイルと接続されたプラス側第１入力端子及びマイナス側第１入力端子と、第３接続ラインと第４接続ラインを介して第２ボイスコイルと接続されたプラス側第２入力端子及びマイナス側第２入力端子と、を備えたダブルコイルスピーカにおいて、
互いに連動して３つの第１乃至第３ポジションに切り替え自在な第１スイッチ回路と第２スイッチ回路を有し、第１乃至第４接続ラインと接続された２回路３ポジションのロータリスイッチを備え、
ロータリスイッチは第１ポジションに切り替えられたとき、第１スイッチ回路が第２接続ラインと第４接続ライン間を導通し、第２スイッチ回路が第１接続ラインと第３接続ライン間を導通し、第２ポジションに切り替えられたとき、第１スイッチ回路と第２スイッチ回路の内、一方が第２接続ラインと第３接続ライン間を導通し、他方は第１乃至第４接続ラインのいづれの間も導通せず、第３ポジションに切り替えられたとき、第１スイッチ回路と第２スイッチ回路の両方が第１乃至第４接続ラインのいづれの間も導通しないようにしたこと、
を特徴とするダブルコイルスピーカ。
【請求項２】
少なくとも第１接続ラインと第２接続ラインのいずれか一方と第３接続ラインと第４接続ラインのいずれか一方にヒューズを介挿したこと、
を特徴とする請求項１記載のダブルコイルスピーカ。
【発明の詳細な説明】
【技術分野】
【０００１】
本発明はダブルコイルスピーカに係り、とくに２つのボイスコイルとアンプとの接続方式をシリーズ、パラレル、バイアンプの３通りに切り替え可能なダブルコイルスピーカに関する。
【背景技術】
【０００２】
サブウーファなどのスピーカには小型で大出力を可能とするためボイスコイルを２組備えたダブルコイル式がある。このダブルコイルスピーカとアンプとの接続方式には、１台のアンプに２つのボイスコイルを直列に接続するシリーズ接続、１台のアンプに２つのボイスコイルを並列に接続するパラレル接続、２台のアンプを１台ずつ各ボイスコイルに接続するバイアンプ接続の３通りがある。
図１に従来のダブルコイルスピーカの回路図を示す。１はスピーカユニット、２はスピーカユニットのフレーム（図示せず）に装着された端子台、３は端子台に内蔵されたプリント配線板、ＶＣ１、ＶＣ２は第１、第２ボイスコイルである。ＩＮ１（＋）、ＩＮ１（−）、ＩＮ２（＋）、ＩＮ２（−）は各々端子台２に並べて固定されたプラス側第１入力端子、マイナス側第１入力端子、プラス側第２入力端子、マイナス側第２入力端子であり、下部にプリント配線板３が取り付けられている。ＶＣ１（＋）とＶＣ１（−）はプリント配線板３に固定されたプラス側第１ボイスコイル端子とマイナス側第１ボイスコイル端子であり、綿糸線ＦＬ１１、ＦＬ１２を介して第１ボイスコイルＶＣ１と接続されている。ＶＣ２（＋）とＶＣ２（−）はプリント配線板３に固定されたプラス側第２ボイスコイル端子とマイナス側第２ボイスコイル端子であり、綿糸線ＦＬ２１、ＦＬ２２を介して第２ボイスコイルＶＣ２と接続されている。４はプリント配線板３に取り付けられたヒューズホルダであり、端子台２の外側から４つの第１乃至第４ヒューズ１１乃至１４を着脱自在に差し込むことができる。ヒューズホルダ４は４対の第１乃至第４ヒューズ用端子ＨＴ１１とＨＴ１２、ＨＴ２１とＨＴ２２、ＨＴ３１とＨＴ３２、ＨＴ４１とＨＴ４２を備えており、ＨＴ１１とＨＴ１２の間、ＨＴ２１とＨＴ２２の間、ＨＴ３１とＨＴ３２の間、ＨＴ４１とＨＴ４２の間に各々第１乃至第４ヒューズ１１乃至１４を着脱可能になっている。プラス側第１入力端子ＩＮ１（＋）はプラス側第１ボイスコイル端子ＶＣ１（＋）と第２ヒューズ用端子ＨＴ２２に接続されており、マイナス側第１入力端子ＩＮ１（−）は第１ヒューズ用端子ＨＴ１１と接続されており、第１ヒューズ用端子ＨＴ１２はマイナス側第１ボイスコイル端子ＶＣ１（−）と第３ヒューズ用端子ＨＴ３２に接続されている。第３ヒューズ用端子ＨＴ３１は第２ヒューズ用端子ＨＴ２１と第４ヒューズ用端子ＨＴ４２に接続されている。プラス側第２入力端子ＩＮ２（＋）は第４ヒューズ用端子ＨＴ４１と接続されており、第４ヒューズ用端子ＨＴ４２はプラス側第２ボイスコイル端子ＶＣ２（＋）と接続されており、マイナス側第２入力端子ＩＮ２（−）はマイナス側第２ボイスコイル端子ＶＣ２（−）と接続されている。
【０００３】
端子台２にはヒューズホルダ３の上をスライドしてパラレル、バイアンプ、シリーズの３つのポジションに移動し、接続方式別にヒューズを差す場所を開けるノブ５が設けられている（図２参照）。例えば、パラレル接続する場合、図２（１）に示す如く１台のアンプ２０のプラス側スピーカ出力端子ＳＰ（＋）、マイナス側スピーカ出力端子ＳＰ（−）をスピーカ接続コード２１を用いてプラス側第１入力端子ＩＮ１（＋）、マイナス側第２入力端子ＩＮ２（−）と接続し、ショートコード２２を用いてマイナス側第１入力端子ＩＮ１（−）をマイナス側第２入力端子ＩＮ２（−）と接続し、ノブ５を一番上のパラレルポジション（ＰＡＲＡＬＬＥＬ）に移動し、差し込み可能になった第３、第４ヒューズ１３、１４を装着する（第１、第２ヒューズ１１、１２はノブ５に邪魔されて差込不能）。これにより、アンプ２０に対し第１、第２ボイスコイルＶＣ１、ＶＣ２がパラレル接続される。シリーズ接続に替える場合、図２（２）に示す如くショートコード２２と第３、第４ヒューズ１３、１４を外し、ノブ５を一番下のシリーズポジション（ＳＥＬＩＥＳ）に移動し、差し込み可能になった第１、第２ヒューズ１１、１２を装着する（第３、第４ヒューズ１３、１４はノブ５により差込不能）。これにより、アンプ２０に対し第１、第２ボイスコイルＶＣ１、ＶＣ２がシリーズ接続される。更に、バイアンプ接続に替える場合、図３に示す如く第１アンプ２３のプラス側スピーカ出力端子ＳＰ１（＋）、マイナス側スピーカ出力端子ＳＰ１（−）をスピーカ接続コード２４を用いてプラス側第１入力端子ＩＮ１（＋）、マイナス側第１入力端子ＩＮ１（−）と接続し、第２アンプ２５のプラス側スピーカ出力端子ＳＰ２（＋）、マイナス側スピーカ出力端子ＳＰ２（−）をスピーカ接続コード２６を用いてプラス側第２入力端子ＩＮ２（＋）、マイナス側第２入力端子ＩＮ２（−）と接続し、第２ヒューズ１２を外し、ノブ５を真中のバイアンプポジション（ＢＩ−ＡＭＰ）に移動し、差し込み可能になった第４ヒューズ１４を装着する（第２、第３ヒューズ１２、１３はノブ５により差込不能）。これにより、２つの第１、第２アンプ２３、２５が第１、第２ボイスコイルＶＣ１、ＶＣ２に個別に接続される。
【０００４】
上記した従来の構成では、接続方式を切り替える際、ショートコード２２の着脱、ノブ５の移動、第１乃至第４ヒューズ１１乃至１４の抜き差しをしなければならず、手間が掛かっていた。また、シリーズ接続時とバイアンプ接続時に、不要となったショートコード２２の保管が面倒であった。なお、特開２００６−２７９５３７号公報の音声出力装置は複数の切り換えスイッチにより複数のアンプと複数のスピーカの接続切り換えを可能とするものに過ぎず、ダブルコイルスピーカとアンプとの接続方式の切り替えは出来ない（特許文献１）。
【０００５】
【特許文献１】特開２００６−２７９５３７号公報
【発明の開示】
【発明が解決しようとする課題】
【０００６】
本発明は上記した従来技術の問題に鑑み、パラレル、シリーズ、バイアンプの接続切り替えに手間が掛からないダブルコイルスピーカを提供することを、その目的とする。
【課題を解決するための手段】
【０００７】
本発明では、第１接続ラインと第２接続ラインを介して第１ボイスコイルと接続されたプラス側第１入力端子及びマイナス側第１入力端子と、第３接続ラインと第４接続ラインを介して第２ボイスコイルと接続されたプラス側第２入力端子及びマイナス側第２入力端子と、を備えたダブルコイルスピーカにおいて、互いに連動して３つの第１乃至第３ポジションに切り替え自在な第１スイッチ回路と第２スイッチ回路を有し、第１乃至第４接続ラインと接続された２回路３ポジションのロータリスイッチを備え、ロータリスイッチは第１ポジションに切り替えられたとき、第１スイッチ回路が第２接続ラインと第４接続ライン間を導通し、第２スイッチ回路が第１接続ラインと第３接続ライン間を導通し、第２ポジションに切り替えられたとき、第１スイッチ回路と第２スイッチ回路の内、一方が第２接続ラインと第３接続ライン間を導通し、他方は第１乃至第４接続ラインのいづれの間も導通せず、第３ポジションに切り替えられたとき、第１スイッチ回路と第２スイッチ回路の両方が第１乃至第４接続ラインのいづれの間も導通しないようにしたこと、を特徴としている。
少なくとも第１接続ラインと第２接続ラインのいずれか一方と第３接続ラインと第４接続ラインのいずれか一方にヒューズを介挿しても良い。
【発明の効果】
【０００８】
本発明によれば、単に２回路３接点形のロータリスイッチのポジジョンを換えるだけで、簡単にパラレル、シリーズ、バイアンプの接続切り替えが可能となる。
【発明を実施するための最良の形態】
【０００９】
ダブルコイルスピーカユニットの端子台にプラス側第１入力端子、マイナス側第１入力端子、プラス側第２入力端子、マイナス側第２入力端子を固定し、端子台に内蔵されたプリント配線板にプラス側第１ボイスコイル端子、マイナス側第１ボイスコイル端子、プラス側第２ボイスコイル端子、マイナス側第２ボイスコイル端子を固定する。プラス側第１ボイスコイル端子とマイナス側第１ボイスコイル端子は綿糸線を介して第１ボイスコイルと接続し、プラス側第２ボイスコイル端子とマイナス側第２ボイスコイル端子は綿糸線を介して第２ボイスコイルと接続する。プリント配線板にヒューズホルダと２回路３ポジションのロータリスイッチを装着する。プラス側第１入力端子は第１接続ラインを介してプラス側第１ボイスコイル端子と接続し、マイナス側第１入力端子は間に第１ヒューズが介挿された第２接続ラインを介してマイナス側第１ボイスコイル端子と接続し、プラス側第２入力端子は間に第２ヒューズが介挿された第３接続ラインを介してプラス側第２ボイスコイル端子と接続し、第３接続ラインを介してプラス側第１ボイスコイル端子と接続し、マイナス側第２入力端子は第４接続ラインを介してマイナス側第２ボイスコイル端子と接続する。ロータリスイッチの２つの第１、第２スイッチ回路は各々１つの可動接点と３つの第１乃至第３固定接点を有し、第１、第２スイッチ回路は端子台の外側からロータリスイッチをパラレルポジション（Ｐ）に回したとき可動接点と第１固定接点が閉じ、シリーズポジション（Ｓ）に回したとき可動接点と第２固定接点が閉じ、バイアンプポジション（Ｂ）に回したとき可動接点と第３固定接点が閉じる。第１スイッチ回路の可動接点を第２接続ラインと接続し、第１固定接点を第４接続ラインと接続し、第２固定接点を第２ヒューズの後で第３接続ラインと接続し、第３固定接点は開放する。第２スイッチ回路の可動接点を第１接続ラインと接続し、第１固定接点を第３接続ラインと接続し、第２、第３固定接点は開放する。ロータリスイッチの回転軸には溝付のノブを取り付け、端子台の外側からマイナスドライバを溝に差し込んで３つのポジションに回転可能とする。
【実施例１】
【００１０】
次に、図４を参照して本発明の実施例を説明する。図４は本発明に係るダブルコイルスピーカのスピーカユニットの回路図であり、図１と同一の構成部分には同一の符号が付してある。
図４において、２Ａは端子台であり、図５に示す如くスピーカユニット１Ａのフレーム６に取付ネジ７により取り付けられている。図６に示す如く端子台２Ａにはプラス側第１入力端子ＩＮ１（＋）、マイナス側第１入力端子ＩＮ１（−）、プラス側第２入力端子ＩＮ２（＋）、マイナス側第２入力端子ＩＮ２（＋）が固定されており、端子台２Ａの内側にプリント配線板３Ａが内蔵されている。プリント配線板３Ａはプラス側第１入力端子ＩＮ１（＋）、マイナス側第１入力端子ＩＮ１（−）、プラス側第２入力端子ＩＮ２（＋）、マイナス側第２入力端子ＩＮ２（＋）の下部に固定されている（図７参照）。プリント配線板３Ａにはプラス側第１ボイスコイル端子ＶＣ１（＋）、マイナス側第１ボイスコイル端子ＶＣ１（−）、プラス側第２ボイスコイル端子ＶＣ２（＋）、マイナス側第２ボイスコイル端子ＶＣ２（−）が固定されている。プラス側第１ボイスコイル端子ＶＣ１（＋）とマイナス側第１ボイスコイル端子ＶＣ１（−）は綿糸線ＦＬ１１、ＦＬ１２を介して第１ボイスコイルＶＣ１と接続されており、プラス側第２ボイスコイル端子ＶＣ２（＋）とマイナス側第２ボイスコイル端子ＶＣ２（−）は綿糸線ＦＬ２１、ＦＬ２２を介して第２ボイスコイルＶＣ２と接続されている（図５参照）。
【００１１】
プリント配線板３Ａにはヒューズホルダ４Ａと２回路３接点のロータリスイッチ４０が装着されている。ヒューズホルダ４Ａは２対の第１、第２ヒューズ用端子ＨＴ１１とＨＴ１２、ＨＴ２１とＨＴ２２を有するとともに端子台２Ａの開口８を通して外部に露出しており、外側から第１、第２ヒューズ１１、１２を着脱自在に差し込むことができる（図５乃至図７参照）。ロータリスイッチ４０の２つの第１、第２スイッチ回路４１、４２は各々１つの可動接点Ｘ、Ｙと３つの第１乃至第３固定接点Ｘ１乃至Ｘ３、Ｙ１乃至Ｙ３を有している。ロータリスイッチ４０の回転軸（図示せず）に取り付けられたノブ４３は端子台２Ａの開口９を通して外部に露出しており、ノブ４３をパラレルポジション（Ｐ）に回したとき可動接点Ｘと第１固定接点Ｘ１が閉じ、可動接点Ｙと第１固定接点Ｙ１が閉じ、シリーズポジション（Ｓ）に回したとき可動接点Ｘと第２固定接点Ｘ２が閉じ、可動接点Ｙと第２固定接点Ｙ２が閉じ、バイアンプポジション（Ｂ）に回したとき可動接点Ｘと第３固定接点Ｘ３が閉じ、可動接点Ｙと第３固定接点Ｙ３が閉じるようになっている。プリント配線板３Ａのプラス側第１入力端子ＩＮ１（＋）は第１接続ラインＬ１を介してプラス側第１ボイスコイル端子ＶＣ１（＋）と接続されており、マイナス側第１入力端子ＩＮ１（−）は途中に第１ヒューズ１１が介挿された第２接続ラインＬ２を介してマイナス側第１ボイスコイル端子ＶＣ１（−）と接続されている。また、プリント配線板３Ａのプラス側第２入力端子ＩＮ２（＋）は途中に第２ヒューズ１２が介挿された第３接続ラインＬ３を介してプラス側第２ボイスコイル端子ＶＣ２（＋）と接続されており、マイナス側第２入力端子ＩＮ２（−）第４接続ラインＬ４を介してマイナス側第２ボイスコイル端子ＶＣ２（−）と接続されている。ロータリスイッチ４０の第１スイッチ回路４１の可動接点Ｘは第２接続ラインＬ２と接続されており、第１固定接点Ｘ１は第４接続ラインＬ４と接続されており、第２固定接点Ｘ２は第２ヒューズ１２の後側で第３接続ラインＬ３と接続されており、第３固定接点Ｘ３は開放されている。ロータリスイッチ４０の第２スイッチ回路４１の可動接点Ｙは第１接続ラインＬ１と接続されており、第１固定接点Ｙ１は第３接続ラインＬ３と接続されており、第２、第３固定接点Ｙ２、Ｙ３は開放されている。ロータリスイッチ４０の回転軸に装着されたノブ４３には、マイナスドライバを差し込んで回転させるための溝４４が刻設されており、溝４４の向きがスイッチポジションを示す（図５、図６参照）。端子台２Ａの表面には、ロータリスイッチ４０の３つのパラレル、シリーズ、バイアンプの切り替えポジションを示す「Ｐ」、「Ｂ」、「Ｓ」の文字が表示されている（図６参照）。
【００１２】
次に、図８、図９を参照して上記した実施例の作用を説明する。パラレル、シリーズ、バイアンプの接続方式に拘わらず予め、第１ヒューズ用端子ＨＴ１１とＨＴ１２の間に第１ヒューズ１１、第２ヒューズ用端子ＨＴ２１とＨＴ２２の間に第２ヒューズ１２を差し込んでおく。
（１）パラレル接続（図８（１）参照）
パラレル接続する場合、１台のアンプ２０のプラス側スピーカ出力端子ＳＰ（＋）とマイナス側スピーカ出力端子ＳＰ（−）をスピーカ接続コード２１を用いて端子台１０Ａのプラス側第１入力端子ＩＮ１（＋）とマイナス側第２入力端子ＩＮ２（−）に接続し、ノブ４３の溝４４にマイナスドライバを差し込んでパラレルポジション（Ｐ）に回す（図４の状態）。すると、第１スイッチ回路４１の可動接点Ｘが第１固定接点Ｘ１と接触して第２接続ラインＬ２と第４接続ラインＬ４の間が導通し、第２スイッチ回路４２の可動接点Ｙが第１固定接点Ｙ１と接触して第１接続ラインＬ１と第３接続ラインＬ３の間が導通し、アンプ２０に対し第１、第２ボイスコイルＶＣ１、ＶＣ２がパラレル接続状態となる。この際、第１ボイスコイルＶＣ１に過電流が流れようとすると第１ヒューズ１１が切れて保護され、第２ボイスコイルＶＣ２に過電流が流れようとすると第２ヒューズ１２が切れて保護される。
（２）シリーズ接続（図８（２）参照）
シリーズ接続に切り替える場合、アンプ２０のプラス側スピーカ出力端子ＳＰ（＋）とマイナス側スピーカ出力端子ＳＰ（−）をスピーカ接続コード２１を用いて端子台１０Ａのプラス側第１入力端子ＩＮ１（＋）とマイナス側第２入力端子ＩＮ２（−）に接続したままノブ４３をシリーズポジション（Ｓ）に回す。すると、第１スイッチ回路４１の可動接点Ｘが第２固定接点Ｘ２と接触して第２接続ラインＬ２と第３接続ラインＬ３の間が導通し、第２スイッチ回路４２の可動接点Ｙが第２固定接点Ｙ２と接触して第１接続ラインＬ１と第３、第４ラインＬ３、Ｌ４の間が開放状態となり、アンプ２０に対し第１、第２ボイスコイルＶＣ１、ＶＣ２がシリーズ接続状態となる。この際、第１ボイスコイルＶＣ１と第２ボイスコイルＶＣ２に過電流が流れようとすると第１ヒューズ１１が切れて保護される。
（３）バイアンプ接続（図９参照）
バイアンプ接続に切り替える場合、第１アンプ２３のプラス側スピーカ出力端子ＳＰ１（＋）とマイナス側スピーカ出力端子ＳＰ１（−）をスピーカ接続コード２４を用いてプラス側第１入力端子ＩＮ１（＋）とマイナス側第１入力端子ＩＮ１（−）と接続し、第２アンプ２５のプラス側スピーカ出力端子ＳＰ２（＋）とマイナス側スピーカ出力端子ＳＰ２（−）をスピーカ接続コード２６を用いてプラス側第２入力端子ＩＮ２（＋）とマイナス側第２入力端子ＩＮ２（−）と接続し、ノブ４３をパイアンプポジション（Ｂ）に回す。すると、第１スイッチ回路４１の可動接点Ｘが第３固定接点Ｘ３と接触して第２接続ラインＬ２と第３、第４ラインＬ３、Ｌ４の間が開放状態となり、第２スイッチ回路４２の可動接点Ｙが第３固定接点Ｙ３と接触して第１接続ラインＬ１と第３、第４ラインＬ３、Ｌ４の間が開放状態となり、２台の第１、第２アンプ２３、２５が第１、第２ボイスコイルＶＣ１、ＶＣ２に個別に接続した状態となる。この際、第１ボイスコイルＶＣ１に過電流が流れようとすると第１ヒューズ１１が切れて保護され、第２ボイスコイルＶＣ２に過電流が流れようとすると第２ヒューズ１２が切れて保護される。
【００１３】
この実施例によれば、予め、第１ヒューズ用端子ＨＴ１１とＨＴ１２の間に第１ヒューズ１１、第２ヒューズ用端子ＨＴ２１とＨＴ２２の間に第２ヒューズ１２を差し込んでおき、ノブ４３を回して２回路３接点のロータリスイッチ４０のポジションを切り替えることで簡単にパラレル、シリーズ、バイアンプの接続切り替えが可能となり、ヒューズの抜き差し、ショートコードの着脱・保管の手間が省ける。
【００１４】
なお、上記した実施例では、第１スイッチ回路４１の第２固定接点Ｘ２を第２ヒューズ１２の後で第３接続ラインＬ３と接続したが、第２ヒューズ１２の前で接続するようにしても良い（この場合、シリーズ接続時に第１ボイスコイルＶＣ１と第２ボイスコイルＶＣ２に過電流が流れようとすると第１、第２ヒューズ１１、１２が切れて保護される）。また、第２接続ラインＬ２の途中に第１ヒューズ１１を介挿するようにしたが、図１０の上部に示す如く、第１接続ラインＬ１の途中に介挿するようにしても良い。更に、第３接続ラインＬ３の途中に第２ヒューズ１２を介挿するようにしたが、図１０の下部に示す如く、第４接続ラインＬ４の途中に介挿するようにしても良い（この場合、シリーズ接続時に第１ボイスコイルＶＣ１と第２ボイスコイルＶＣ２に過電流が流れようとすると第１、第２ヒューズ１１、１２が切れて保護される）。
また、上記した実施例では、ロータリスイッチ４０をシリーズポジションに切り替えたとき、第１スイッチ回路４１が第２接続ラインＬ２と第３接続ラインＬ３を導通するようにしたが、図１１のロータリスイッチ４０Ａに示す如く、第１スイッチ回路４１Ａの可動接点Ｘを第２接続ラインＬ２と接続し、第１固定接点Ｘ１を第４接続ラインＬ４と接続し、第２、第３固定接点Ｘ２、Ｘ３を開放し、第２スイッチ回路４２Ａの可動接点Ｙを第３接続ラインＬ３と接続し、第１固定接点Ｙ１を第１接続ラインＬ１と接続し、第２固定接点Ｙ２を第２接続ラインＬ２と接続し、第３固定接点Ｙ３を開放し、パラレルポジションに切り替えたとき第１スイッチ回路４１Ａが第２接続ラインＬ２と第４接続ラインＬ４を導通し、第２スイッチ回路４２Ａが第１接続ラインＬ１と第３接続ラインＬ３を導通し、シリーズポジションに切り替えたとき、第２スイッチ回路４２Ａが第２接続ラインＬ２と第３接続ラインＬ３を導通するようにしても良い。
【産業上の利用可能性】
【００１５】
本発明は、ウーファ、サブウーファなどのスピーカユニット、筐体付スピーカなどの各種のダブルコイルスピーカに適用できる。
【図面の簡単な説明】
【００１６】
【図１】従来のダブルコイルスピーカの回路図である。
【図２】従来のパラレル、シリーズの接続切り替え方法の説明図である。
【図３】従来のバイアンプの接続切り替え方法の説明図である。
【図４】本発明に係るダブルコイルスピーカの回路図である（実施例１）。
【図５】図４のスピーカユニットの平面図である。
【図６】図５中の端子台の正面図である。
【図７】図６の側面図である。
【図８】パラレル、シリーズの接続切り替え方法の説明図である。
【図９】バイアンプの接続切り替え方法の説明図である。
【図１０】図４の変形例の説明図である。
【図１１】図４の他の変形例の説明図である。
【符号の説明】
【００１７】
１Ａ  スピーカユニット
２Ａ  端子台
３Ａ  プリント配線板
４Ａ  ヒューズホルダ
１１  第１ヒューズ
１２  第２ヒューズ
４０、４０Ａ  ロータリスイッチ
４１、４１Ａ  第１スイッチ回路
４２、４２Ａ  第２スイッチ回路
４３  ノブ
ＩＮ１（＋）  プラス側第１入力端子
ＩＮ１（−）  マイナス側第１入力端子
ＩＮ２（＋）  プラス側第２入力端子
ＩＮ２（−）  マイナス側第２入力端子
ＶＣ１（＋）  プラス側第１ボイスコイル端子
ＶＣ１（−）  マイナス側第１ボイスコイル端子
ＶＣ２（＋）  プラス側第２ボイスコイル端子
ＶＣ２（−）  マイナス側第２ボイスコイル端子
ＶＣ１  第１ボイスコイル
ＶＣ２  第２ボイスコイル
【図１】
2009010854.tif 000003
【図２】
2009010854.tif 000004
【図３】
2009010854.tif 000005
【図４】
2009010854.tif 000006
【図５】
2009010854.tif 000007
【図６】
2009010854.tif 000008
【図７】
2009010854.tif 000009
【図８】
2009010854.tif 000010
【図９】
2009010854.tif 000011
【図１０】
2009010854.tif 000012
【図１１】
2009010854.tif 000013